【手続補正書】
【提出日】平成19年1月17日(2007.1.17)
【手続補正１】
【補正対象書類名】明細書
【補正対象項目名】特許請求の範囲
【補正方法】変更
【補正の内容】
【特許請求の範囲】
【請求項１】
互いに直交して配置される複数本の信号線および走査線と、この信号線と走査線との交点近傍にスイッチ素子を介して配置される画素電極とを備えたアレイ基板を含み、複数本の水平画素ラインからなる有効表示領域を構成する表示パネルと、
第１所定数毎の前記信号線に前記アレイ基板の一端側で接続され対応するアナログ画像信号を出力する第１信号線駆動回路と、
第２所定数毎の前記信号線に前記アレイ基板の前記一端と相反する他端側で接続され対応するアナログ画像信号を出力する第２信号線駆動回路と、
複数の前記水平画素ラインからなる第１領域に対応する第１映像信号および複数の前記水平画素ラインからなる第２領域に対応する第２映像信号を並列に受け取り、それぞれの映像信号を並べ替えて前記第１信号線駆動回路および前記第２信号線駆動回路に出力する制御回路と、
前記第１領域の水平画素ラインを構成する前記画素電極と前記第２領域の水平画素ラインを構成する前記画素電極とには交互に対応するアナログ画像信号を書き込むよう走査パルスを出力する前記走査線に接続された走査線駆動回路と、
を備えたことを特徴とする平面表示装置。
【請求項２】
前記第１領域の走査と、前記第２領域の走査とは、互いの境界に向かうようになされる
ことを特徴とする請求項１記載の平面表示装置。
【請求項３】
連続して走査される一対の前記第１領域の水平画素ラインと前記第２領域の水平画素ラインであって、それぞれ同一の前記信号線に接続された一対の画素電極に供給されるアナログ画像信号は、基準電圧に対する極性が等しい
ことを特徴とする請求項１記載の平面表示装置。
【請求項４】
前記一対の画素電極に供給されるアナログ画像信号の基準電圧に対する極性は、フィールド毎に異なる
ことを特徴とする請求項３記載の平面表示装置。
【請求項５】
前記画素電極に基準電圧に対して負極性から正極性に極性反転するタイミングで前記アナログ画像信号を書き込むタイミングを第１状態、
前記画素電極に基準電圧に対して負極性から正極性に極性反転した後に前記アナログ画像信号を書き込むタイミングを第２状態、
前記画素電極に基準電圧に対して正極性から負極性に極性反転するタイミングで前記アナログ画像信号を書き込むタイミングを第３状態、
前記画素電極に基準電圧に対して正極性から負極性に極性反転して後に前記アナログ画像信号を書き込むタイミングを第４状態とした場合、
それぞれの前記信号線に対応する画素電極について、前記第１領域と前記第２の領域とは、それぞれ前記第１状態から第４状態を含む
ことを特徴とする請求項１記載の平面表示装置。
【請求項６】
互いに直交して配置される複数本の信号線および走査線と、この信号線と走査線との交点近傍にスイッチ素子を介して配置される画素電極とを備えたアレイ基板を含み、複数本の水平画素ラインからなる有効表示領域を構成する表示パネルと、
第１所定数毎の前記信号線に接続され対応するアナログ画像信号を出力する第１信号線駆動回路と、
第２所定数毎の前記信号線に接続され対応するアナログ画像信号を出力する第２信号線駆動回路と、
複数の前記水平画素ラインからなる第１領域に対応する第１映像信号および複数の前記水平画素ラインからなる第２領域に対応する第２映像信号を並列に受け取り、それぞれの映像信号を並べ替えて前記第１信号線駆動回路および前記第２信号線駆動回路に出力する制御回路と、
前記第１領域の前記走査線に第１走査パルスを順次出力する第１走査線駆動回路と、
前記第２領域の前記走査線に第２走査パルスを順次出力する第２走査線駆動回路と、
を備え、
前記第１所定数毎の前記信号線は前記アレイ基板の一端側で前記第１信号線駆動回路と電気的に接続され、
前記第２所定数毎の前記信号線は前記アレイ基板の前記一端と相反する他端側で前記第２信号線駆動回路と電気的に接続され、
前記第１走査線駆動回路の走査方向と前記第２走査線駆動回路の走査方向とは、各フィールド内で順次近づく
ことを特徴とする平面表示装置。
【手続補正２】
【補正対象書類名】明細書
【補正対象項目名】０００８
【補正方法】変更
【補正の内容】
【０００８】
【課題を解決するための手段】
請求項１の発明は、互いに直交して配置される複数本の信号線および走査線と、この信号線と走査線との交点近傍にスイッチ素子を介して配置される画素電極とを備えたアレイ基板を含み、複数本の水平画素ラインからなる有効表示領域を構成する表示パネルと、第１所定数毎の前記信号線に前記アレイ基板の一端側で接続され対応するアナログ画像信号を出力する第１信号線駆動回路と、第２所定数毎の前記信号線に前記アレイ基板の前記一端と相反する他端側で接続され対応するアナログ画像信号を出力する第２信号線駆動回路と、複数の前記水平画素ラインからなる第１領域に対応する第１映像信号および複数の前記水平画素ラインからなる第２領域に対応する第２映像信号を並列に受け取り、それぞれの映像信号を並べ替えて前記第１信号線駆動回路および前記第２信号線駆動回路に出力する制御回路と、前記第１領域の水平画素ラインを構成する前記画素電極と前記第２領域の水平画素ラインを構成する前記画素電極とには交互に対応するアナログ画像信号を書き込むよう走査パルスを出力する前記走査線に接続された走査線駆動回路と、を備えたことを特徴とする平面表示装置にある。
【手続補正３】
【補正対象書類名】明細書
【補正対象項目名】０００９
【補正方法】変更
【補正の内容】
【０００９】
また、請求項６記載の発明は、互いに直交して配置される複数本の信号線および走査線と、この信号線と走査線との交点近傍にスイッチ素子を介して配置される画素電極とを備えたアレイ基板を含み、複数本の水平画素ラインからなる有効表示領域を構成する表示パネルと、第１所定数毎の前記信号線に接続され対応するアナログ画像信号を出力する第１信号線駆動回路と、第２所定数毎の前記信号線に接続され対応するアナログ画像信号を出力する第２信号線駆動回路と、複数の前記水平画素ラインからなる第１領域に対応する第１映像信号および複数の前記水平画素ラインからなる第２領域に対応する第２映像信号を並列に受け取り、それぞれの映像信号を並べ替えて前記第１信号線駆動回路および前記第２信号線駆動回路に出力する制御回路と、前記第１領域の前記走査線に第１走査パルスを順次出力する第１走査線駆動回路と、前記第２領域の前記走査線に第２走査パルスを順次出力する第２走査線駆動回路と、を備え、前記第１所定数毎の前記信号線は前記アレイ基板の一端側で前記第１信号線駆動回路と電気的に接続され、前記第２所定数毎の前記信号線は前記アレイ基板の前記一端と相反する他端側で前記第２信号線駆動回路と電気的に接続され、前記第１走査線駆動回路の走査方向と前記第２走査線駆動回路の走査方向とは、各フィールド内で順次近づくことを特徴とする平面表示装置にある。
【手続補正４】
【補正対象書類名】明細書
【補正対象項目名】００２６
【補正方法】変更
【補正の内容】
【００２６】
信号線１６を、例えばいずれも上側に引き出すのであれば、偶数本目と奇数本目とで対応する接続パッド位置を千鳥状に配置することで外部回路との接続を容易に行うことができる。また、偶数本目と奇数本目の２グループに区分する他に、３グループ以上に区分し、接続パッドをこれに合わせて多段の千鳥状に配置してもかまわない。
【手続補正５】
【補正対象書類名】明細書
【補正対象項目名】００２９
【補正方法】変更
【補正の内容】
【００２９】
処理装置３２は、液晶パネル１２のＡ画面、Ｂ画面、Ｃ画面およびＤ画面のそれぞれに対応し、更に赤（Ｒ）、青（Ｂ）、および緑（Ｇ）の各色毎で、水平画素ライン方向に奇数および偶数に対応した２４系統のディジタル画像データＲ：ＤＡＴＡ−Ａ（ｏ）、Ｒ：ＤＡＴＡ−Ａ（ｅ）、・・・、Ｒ：ＤＡＴＡ−Ｂ（ｏ）、Ｒ：ＤＡＴＡ−Ｂ（ｅ）、・・・、Ｒ：ＤＡＴＡ−Ｃ（ｏ）、Ｒ：ＤＡＴＡ−Ｃ（ｅ）、・・・、Ｒ：ＤＡＴＡ−Ｄ（ｅ）、・・・、Ｂ：ＤＡＴＡ−Ｄ（ｅ）（図１１乃至１３参照）を、液晶コントローラ３４にそれぞれ並列に出力する。
【手続補正６】
【補正対象書類名】明細書
【補正対象項目名】００４２
【補正方法】変更
【補正の内容】
【００４２】
図４に示すように、液晶表示装置１０の液晶コントローラ３４を構成するＡＣ画面用液晶コントローラ３８には、上述したように、処理装置３２から、Ａ画面、およびＣ画面に対応し、更に奇数番目および偶数番目に対応した各色毎の１２系統のディジタル画像データＲ：ＤＡＴＡ−Ａ（ｏ）、Ｒ：ＤＡＴＡ−Ａ（ｅ）、・・・、Ｂ：ＤＡＴＡ−Ｃ（ｏ）、およびＢ：ＤＡＴＡ−Ｃ（ｅ）が並列に入力される。